(57)【要約】  本発明は、スポーツ用手袋（１）、とりわけ、ゴールキーパーの手袋を製作する方法に関する。スポーツ用手袋を着用する時の心地よさを改善するために、特許請求された方法は、次のステップ：ａ）平坦な保持基材（２）を設けるステップと、ｂ）発泡プラスチック材料から成る複数の個別の部分材料（３）を保持基材（２）の少なくとも１つの側面（４、５）に施すステップと、ｃ）ステップｂ）に従って製作された部分材料（３）を有する保持基材（２）を使用して少なくともスポーツ用手袋（１）の少なくとも一部分（７、８）を製作するステップと、を有する。【選択図】図２
2018525537.tif 000002
【特許請求の範囲】
【請求項１】
スポーツ用手袋（１）、特にゴールキーパーの手袋の製作方法であって、
ａ）積層保持基材（２）を設けるステップと、
ｂ）発泡プラスチック材料の複数の個別の部分材料（３）を前記保持基材（２）の少なくとも１つの側面（４、５）上に堆積させるステップと、
ｃ）ステップｂ）に従って製作された前記部分材料（３）を有する前記保持基材（２）を使用することによって少なくとも前記スポーツ用手袋（１）の一部分（７、８）を製作するステップと、を含むことを特徴とする、方法。
【請求項２】
前記部分材料（３）を堆積させることは、前記保持基材（２）上でアプリケータロール（３）を回転させることによって行われることを特徴とする、請求項１に記載の方法。
【請求項３】
請求項１に記載の、ステップｂ）の実行後、およびステップｃ）の実行前に、前記保持基材（２）および前記部分材料（３）上にコーティングを施し、該コーティング材料は好ましくは塗料であることを特徴とする、請求項１または２に記載の方法。
【請求項４】
特に、ポリウレタンおよびポリエチレングリコール（エラスタン）の成分によるブロック共重合体および／またはポリエステルの繊維から作られる材料といった、織物材料、マイクロファイバー材料、または皮革材料は、積層保持基材（２）として使用されることを特徴とする、請求項１〜３のうちいずれか一項に記載の方法。
【請求項５】
前記積層保持基材（２）は、その応力ひずみ特性に関して、互いに垂直である２つの方向における異方性挙動を有することを特徴とする、請求項１〜４のうちいずれか一項に記載の方法。
【請求項６】
前記部分材料（３）は、ポリウレタンから成る、またはこの材料を含むことを特徴とする、請求項１〜５のうちいずれか一項に記載の方法。
【請求項７】
さらなる材料は、ポリウレタン、特にゴム材料、特に天然ゴム、またはパラフィンに混合されることを特徴とする、請求項６に記載の方法。
【請求項８】
前記部分材料（３）は、少なくとも一部分において、前記保持基材（２）の表面上に等しく分布した材料ドットであることを特徴とする、請求項１〜７のうちいずれか一項に記載の方法。
【請求項９】
前記部分材料（３）は、球状キャップ、円錐、および／または、特に菱形ベースを有する角錐の形状を有することを特徴とする、請求項１〜８のうちいずれか一項に記載の方法。
【請求項１０】
前記部分材料（３）は、０．５ｍｍ〜５ｍｍの、前記保持基材（２）からの高さ（ｈ）を有することを特徴とする、請求項１〜９のうちいずれか一項に記載の方法。
【請求項１１】
前記部分材料（３）の距離（ａ）は、１．０ｍｍ〜１０ｍｍ、好ましくは１．５ｍｍ〜５ｍｍであることを特徴とする、請求項１〜１０のうちいずれか一項に記載の方法。
【請求項１２】
前記部分材料（３）の前記距離（ａ）、および／または前記保持基材（２）の前記表面からのそれら部分材料の高さ（ｈ）は一定であることを特徴とする、請求項１〜１１のうちいずれか一項に記載の方法。
【請求項１３】
前記部分材料（３）の前記距離（ａ）、および／または前記保持基材（２）の前記表面からのそれら部分材料の高さ（ｈ）は、濃度および／または高さ（ｈ）を大きくした部分材料（３）の領域が前記保持基材（２）上に形成されるように、可変とすることを特徴とする、請求項１〜１２のうちいずれか一項に記載の方法。
【請求項１４】
請求項１のステップｃ）による前記スポーツ用手袋（１）の前記一部分（７、８）の製作時に、前記部分材料（３）は、前記スポーツ用手袋（１）の着用者の手からそらした前記一部分（７、８）の外側に配置されることを特徴とする、請求項１〜１３のうちいずれか一項に記載の方法。
【請求項１５】
前記保持基材（２）の両側（４、５）に部分材料（３）が施されることを特徴とする、請求項１〜１４のうちいずれか一項に記載の方法。
【発明の詳細な説明】
【技術分野】
【０００１】
本発明は、スポーツ用手袋、特にゴールキーパーの手袋の製作方法に関する。
【背景技術】
【０００２】
スポーツ用手袋、特にゴールキーパーの手袋に対して、使用中に十分な着け心地よさが与えられるようにし、この着け心地よさが、使用時に、特に手袋の内側のある一定の通気によって得られることができるようにする必要性がある。さらなる一面には、特にサッカースポーツ用の手袋の使用時に、ゴールキーパーの手袋とボールとの接触時に、良好な圧力分布が生じることで、特にボールを把持する際に手に優しい効果を与えることがある。
【０００３】
実際は、特別に製造されたスポーツ用手袋は、上記に対して、所望され必要とされる、高度な製造効果および手工芸それぞれを可能にすることによって、該手袋の製造費は高くなる。
【発明の概要】
【発明が解決しようとする課題】
【０００４】
本発明の目的は、手袋の着け心地をより良くすることができる、手袋、特に、ゴールキーパーの手袋の製作方法を提案することである。さらにまた、ボールとの接触時に良好な圧力分布が与えられるような手袋の設計が得られるものとする。また、基本的な一面として、費用効率の高いやり方で手袋の製作を行うことができることがある。
【課題を解決するための手段】
【０００５】
本発明によるこの目的の解決策は、スポーツ用手袋の製作方法が、
ａ）積層保持基材を設けるステップと、
ｂ）発泡プラスチック材料の複数の個別の部分材料を保持基材の少なくとも１つの側面上に堆積させるステップと、
ｃ）ステップｂ）に従って製作された部分材料を有する保持基材を使用することによって少なくともスポーツ用手袋の一部分を製作するステップと、を含むことを特徴とする。
【０００６】
それによって、部分材料の堆積は、好ましくは、保持基材上でアプリケータロールを回転させることによって行われる。しかしながら、該当する場合、テンプレートによる、部分材料を手で堆積させることも可能である。
【０００７】
上記ステップｂ）の実行後、および上記ステップｃ）の実行前に、保持基材および部分材料上に、コーティングをさらに施すことができる。述べられたコーティング用のコーティング材料は特に塗料である。
【０００８】
好ましくは、特に、ポリウレタンおよびポリエチレングリコール（エラスタン）の成分によるブロック共重合体および／またはポリエステルの繊維から作られる材料といった、織物材料、マイクロファイバー材料、または皮革材料が、積層保持基材として使用される。
【０００９】
それによって、積層保持基材は、その応力ひずみ特性に関して、互いに垂直である２つの方向における異方性挙動を有することができる。これは、応力ひずみ特性が異なる伸長方向で異なっていることを意味する。
【００１０】
部分材料は、好ましくはポリウレタンから成る、または少なくともこの材料を含む。さらなる材料は、ポリウレタン、特にゴム材料（ラテックス）、特に天然ゴム、またはパラフィンに混合可能である。
【００１１】
部分材料は、（少なくとも一部分において）保持基材の表面上に等しく分布した材料ドットとすることができる。同等でない分布も提供可能であり、これは、人間工学的な面に関して有益とすることができる。
【００１２】
部分材料は、（半球を含む）球状キャップ、円錐、および／または、特に菱形ベースを有する角錐の形状を有するのが好ましい。
【００１３】
それによって、部分材料は、０．５ｍｍ〜５ｍｍの、保持基材からの高さを有するのが好ましい。
【００１４】
部分材料の距離は、好ましくは１．０ｍｍ〜１０ｍｍであり、具体的には１．５ｍｍ〜５ｍｍが好ましい。
【００１５】
部分材料の距離、および／または保持基材の表面からのそれら部分材料の高さは一定であるのが好ましい。しかしながら、部分材料の距離、および／または保持基材の表面からのそれら部分材料の高さは、濃度および／または高さを大きくした部分材料の領域が保持基材上に形成されるように、可変とすることができる。
【００１６】
上記ステップｃ）によるスポーツ用手袋の一部分の製作時に、部分材料は、スポーツ用手袋の着用者の手からそらした一部分の外側に配置可能である。
【００１７】
しかしながら、保持基材の両側に部分材料（発泡ドット）が施されるようにすることができる。該当する場合、発泡ドットはまた、スポーツ用手袋の一部分の内側にのみ設けることができる。
【００１８】
保持基材がポリアミド（ナイロン）から作られた織物材料である、本発明のさらなる可能な実施形態が提供される。別の実施形態によると、保持基材はまた、発泡ドットが施される発泡層として設計可能である。
【００１９】
そのため、本発明は、スポーツ用手袋の製作時に、特にポリウレタン発泡ドット（部分材料）から作られた規則的なまたは不規則的なパターンでの、アプリケータロールによる、好ましくは織物材料から作られた、保持材料を提供する概念に基づいている。そして、スポーツ用手袋は、このようなやり方で「印刷」される保持材料から部分的にまたは全面的に製作される。
【００２０】
このように「発泡ドット」の部分材料の分布は、従って、人間工学によって要求されるようなやり方で生じさせることができ、すなわち、発泡ドットの同等でない分布およびサイズが提供可能である。
【００２１】
好ましくは０．５ｍｍ〜５ｍｍの高さを有する発泡ドットによって、発泡ドットの高さが好ましくは等しい場合に、手袋の内側の空気の循環は、有益には、発泡ドットが手袋の内側に配置される限り促進される。発泡ドットがスポーツ用手袋の外側に配置される場合、特にサッカーのために使用中に、手袋とボールとの間の改善された圧力分布を得ることができる。
【００２２】
発泡ドットは、球体セグメント形状、円錐形状、または角錐形状（菱形形状）で設計可能である。
【００２３】
保持材料は、好ましくは、エラスタン−ポリエステル混合物から成り、その応力ひずみ特性に関して異方性を有することができる。
【００２４】
発泡ドットが、特に塗料の薄層で外側に設けられるようにすることもできる。
【００２５】
発泡ドットは、主要成分としてポリウレタンを含むが、ラテックスまたはパラフィンのような他の混合剤も提供可能である。
【００２６】
本発明は、一般的に、手袋の製作に関する。しかしながら、説明された製造概念は、有益には、他の応用にも使用可能である。
【００２７】
図面において、本発明の実施形態が示されている。
【図面の簡単な説明】
【００２８】
【図１】本発明によるゴールキーパーの手袋の正面図である。
【図２】ゴールキーパーの手袋の一部が製造される織物保持材料であって、アプリケータロールによって発泡ドットの形態の部分材料が設けられる保持材料の側面図である。
【図３】ゴールキーパーの手袋が製作される部分材料を有する保持材料の図である。
【発明を実施するための形態】
【００２９】
図１において、ゴールキーパーの手袋であるスポーツ用手袋１が示されており、このスポーツ用手袋１は、２つの部分７および８、すなわち、手の甲の領域７、および指の領域８を含む。一部分７の製作中、現在、部分材料３が施される積層保持基材２で構成されている材料が使用され、これら部分材料３は発泡ドットとして設計される。
【００３０】
保持基材２の製作、および部分材料３を施すことは、図２に示されているが、非常に概略的にしか示されていない。
【００３１】
示される実施形態では、積層保持基材２はその上側４に部分材料３が設けられ、保持基材２の底側５はここでは部分材料３がないままである。
【００３２】
部分材料３を堆積させるために、アプリケータロール６が使用される。ここで、発泡ポリウレタン材料は、内側供給管を通って出力ノズル９に案内され、積層保持基材２上でアプリケータロール６が回転すると、対応する量のポリウレタン発泡体が保持基材２上に施され、それによって、部分材料３を、保持基材２の上側４に発泡ドットの形態で堆積させる。
【００３３】
本明細書によって得られる結果は図３に概略的に示される。見られるように、発泡ドットの形態の部分材料３を、保持基材２上に堆積させる。実施形態では、部分材料３によって保持基材２は一様に被覆され、部分材料３はここでは半球形状に設計される。
【００３４】
同じように、当然ながら、例えば、菱形ベースの角錐形状設計といった他の形状も考慮可能である。
【００３５】
図３において、部分材料の構造が、単一発泡ドット間の距離ａのみならず、発泡ドットの高さｈによって特徴付けられているのを見ることができる。距離ａおよび高さｈは、所望の効果が得られるようなやり方で選択される。具体的に実証済みの値として、該距離は２ｍｍ〜６ｍｍであり、該高さは１ｍｍ〜４ｍｍである。
【００３６】
それによって、保持基材２のある領域において発泡ドットの密度を大きくし、他の場所では、手袋の対応する領域において発泡ドットの影響を大きくするか小さくして作成するようにすることが妥当である可能性がある。
【００３７】
図１に見られるように、発泡ドットでコーティングされる保持材料２から対応して製造されるのは、スポーツ用手袋１の一部のみで局部的である。
【００３８】
しかしながら、上記の材料からスポーツ用手袋１全体を製作することも可能である。
【符号の説明】
【００３９】
１  スポーツ手袋（ゴールキーパーの手袋）
２  積層保持基材
３  部分材料（発泡ドット）
４  保持基材の側面
５  保持基材の側面
６  アプリケータロール
７  一部分（手の甲の領域）
８  一部分（指の領域）
９  出力ノズル
ｈ  部分材料の高さ
ａ  部分材料の距離
【図１】
2018525537.tif 000003
【図２】
2018525537.tif 000004
【図３】
2018525537.tif 000005
【手続補正書】
【提出日】平成28年12月16日(2016.12.16)
【手続補正１】
【補正対象書類名】明細書
【補正対象項目名】全文
【補正方法】変更
【補正の内容】
【発明の詳細な説明】
【技術分野】
【０００１】
本発明は、スポーツ用手袋、特にゴールキーパーの手袋の製作方法に関する。
【背景技術】
【０００２】
スポーツ用手袋、特にゴールキーパーの手袋に対して、使用中に十分な着け心地よさが与えられるようにし、この着け心地よさが、使用時に、特に手袋の内側のある一定の通気によって得られることができるようにする必要性がある。さらなる一面には、特にサッカースポーツ用の手袋の使用時に、ゴールキーパーの手袋とボールとの接触時に、良好な圧力分布が生じることで、特にボールを把持する際に手に優しい効果を与えることがある。
【０００３】
実際は、特別に製造されたスポーツ用手袋は、上記に対して、所望され必要とされる、高度な製造効果および手工芸それぞれを可能にすることによって、該手袋の製造費は高くなる。
【０００４】
特許文献１によれば、外側に発泡材料製の目立たないクッション部分を含むクッション層が設けられているスポーツ用手袋が知られている。 同様の他の解決方法は、特許文献２，３にも開示されている。
【先行技術文献】
【特許文献】
【０００５】
【特許文献１】DE20005619U1
【特許文献２】US2012/0005805A1
【特許文献３】WO2012/068418A1
【発明の概要】
【発明が解決しようとする課題】
【０００６】
本発明の目的は、手袋の着け心地をより良くすることができる、手袋、特に、ゴールキーパーの手袋の製作方法を提案することである。さらにまた、ボールとの接触時に良好な圧力分布が与えられるような手袋の設計が得られるものとする。また、基本的な一面として、費用効率の高いやり方で手袋の製作を行うことができることがある。
【課題を解決するための手段】
【０００７】
本発明によるこの目的の解決策は、スポーツ用手袋の製作方法が、
ａ）積層保持基材を設けるステップと、
ｂ）発泡プラスチック材料の複数の個別の部分材料を保持基材の両側面上に堆積させるステップと、
ｃ）ステップｂ）に従って製作された部分材料を有する保持基材を使用することによって少なくともスポーツ用手袋の一部分を製作するステップと、を含むことを特徴とする。
【０００８】
それによって、部分材料の堆積は、好ましくは、保持基材上でアプリケータロールを回転させることによって行われる。しかしながら、該当する場合、テンプレートによる、部分材料を手で堆積させることも可能である。
【０００９】
上記ステップｂ）の実行後、および上記ステップｃ）の実行前に、保持基材および部分材料上に、コーティングをさらに施すことができる。述べられたコーティング用のコーティング材料は特に塗料である。
【００１０】
好ましくは、特に、ポリウレタンおよびポリエチレングリコール（エラスタン）の成分によるブロック共重合体および／またはポリエステルの繊維から作られる材料といった、織物材料、マイクロファイバー材料、または皮革材料が、積層保持基材として使用される。
【００１１】
それによって、積層保持基材は、その応力ひずみ特性に関して、互いに垂直である２つの方向における異方性挙動を有することができる。これは、応力ひずみ特性が異なる伸長方向で異なっていることを意味する。
【００１２】
部分材料は、好ましくはポリウレタンから成る、または少なくともこの材料を含む。さらなる材料は、ポリウレタン、特にゴム材料（ラテックス）、特に天然ゴム、またはパラフィンに混合可能である。
【００１３】
部分材料は、（少なくとも一部分において）保持基材の表面上に等しく分布した材料ドットとすることができる。同等でない分布も提供可能であり、これは、人間工学的な面に関して有益とすることができる。
【００１４】
部分材料は、（半球を含む）球状キャップ、円錐、および／または、特に菱形ベースを有する角錐の形状を有するのが好ましい。
【００１５】
それによって、部分材料は、０．５ｍｍ〜５ｍｍの、保持基材からの高さを有するのが好ましい。
【００１６】
部分材料の距離は、好ましくは１．０ｍｍ〜１０ｍｍであり、具体的には１．５ｍｍ〜５ｍｍが好ましい。
【００１７】
部分材料の距離、および／または保持基材の表面からのそれら部分材料の高さは一定であるのが好ましい。しかしながら、部分材料の距離、および／または保持基材の表面からのそれら部分材料の高さは、濃度および／または高さを大きくした部分材料の領域が保持基材上に形成されるように、可変とすることができる。
【００１８】
上記ステップｃ）によるスポーツ用手袋の一部分の製作時に、部分材料は、スポーツ用手袋の着用者の手からそらした一部分の外側に配置可能である。
【００１９】
しかしながら、保持基材の両側に部分材料（発泡ドット）が施されるようにすることができる。該当する場合、発泡ドットはまた、スポーツ用手袋の一部分の内側にのみ設けることができる。
【００２０】
保持基材がポリアミド（ナイロン）から作られた織物材料である、本発明のさらなる可能な実施形態が提供される。別の実施形態によると、保持基材はまた、発泡ドットが施される発泡層として設計可能である。
【００２１】
そのため、本発明は、スポーツ用手袋の製作時に、特にポリウレタン発泡ドット（部分材料）から作られた規則的なまたは不規則的なパターンでの、アプリケータロールによる、好ましくは織物材料から作られた、保持材料を提供する概念に基づいている。そして、スポーツ用手袋は、このようなやり方で「印刷」される保持材料から部分的にまたは全面的に製作される。
【００２２】
このように「発泡ドット」の部分材料の分布は、従って、人間工学によって要求されるようなやり方で生じさせることができ、すなわち、発泡ドットの同等でない分布およびサイズが提供可能である。
【００２３】
好ましくは０．５ｍｍ〜５ｍｍの高さを有する発泡ドットによって、発泡ドットの高さが好ましくは等しい場合に、手袋の内側の空気の循環は、有益には、発泡ドットが手袋の内側に配置される限り促進される。発泡ドットがスポーツ用手袋の外側に配置される場合、特にサッカーのために使用中に、手袋とボールとの間の改善された圧力分布を得ることができる。
【００２４】
発泡ドットは、球体セグメント形状、円錐形状、または角錐形状（菱形形状）で設計可能である。
【００２５】
保持材料は、好ましくは、エラスタン−ポリエステル混合物から成り、その応力ひずみ特性に関して異方性を有することができる。
【００２６】
発泡ドットが、特に塗料の薄層で外側に設けられるようにすることもできる。
【００２７】
発泡ドットは、主要成分としてポリウレタンを含むが、ラテックスまたはパラフィンのような他の混合剤も提供可能である。
【００２８】
本発明は、一般的に、手袋の製作に関する。しかしながら、説明された製造概念は、有益には、他の応用にも使用可能である。
【００２９】
図面において、本発明の実施形態が示されている。
【図面の簡単な説明】
【００３０】
【図１】本発明によるゴールキーパーの手袋の正面図である。
【図２】ゴールキーパーの手袋の一部が製造される織物保持材料であって、アプリケータロールによって発泡ドットの形態の部分材料が設けられる保持材料の側面図である。
【図３】ゴールキーパーの手袋が製作される部分材料を有する保持材料の図である。
【発明を実施するための形態】
【００３１】
図１において、ゴールキーパーの手袋であるスポーツ用手袋１が示されており、このスポーツ用手袋１は、２つの部分７および８、すなわち、手の甲の領域７、および指の領域８を含む。一部分７の製作中、現在、部分材料３が施される積層保持基材２で構成されている材料が使用され、これら部分材料３は発泡ドットとして設計される。
【００３２】
保持基材２の製作、および部分材料３を施すことは、図２に示されているが、非常に概略的にしか示されていない。
【００３３】
示される実施形態では、積層保持基材２はその上側４に部分材料３が設けられ、保持基材２の底側５はここでは部分材料３がないままである。
【００３４】
部分材料３を堆積させるために、アプリケータロール６が使用される。ここで、発泡ポリウレタン材料は、内側供給管を通って出力ノズル９に案内され、積層保持基材２上でアプリケータロール６が回転すると、対応する量のポリウレタン発泡体が保持基材２上に施され、それによって、部分材料３を、保持基材２の上側４に発泡ドットの形態で堆積させる。
【００３５】
本明細書によって得られる結果は図３に概略的に示される。見られるように、発泡ドットの形態の部分材料３を、保持基材２上に堆積させる。実施形態では、部分材料３によって保持基材２は一様に被覆され、部分材料３はここでは半球形状に設計される。
【００３６】
同じように、当然ながら、例えば、菱形ベースの角錐形状設計といった他の形状も考慮可能である。
【００３７】
図３において、部分材料の構造が、単一発泡ドット間の距離ａのみならず、発泡ドットの高さｈによって特徴付けられているのを見ることができる。距離ａおよび高さｈは、所望の効果が得られるようなやり方で選択される。具体的に実証済みの値として、該距離は２ｍｍ〜６ｍｍであり、該高さは１ｍｍ〜４ｍｍである。
【００３８】
それによって、保持基材２のある領域において発泡ドットの密度を大きくし、他の場所では、手袋の対応する領域において発泡ドットの影響を大きくするか小さくして作成するようにすることが妥当である可能性がある。
【００３９】
図１に見られるように、発泡ドットでコーティングされる保持材料２から対応して製造されるのは、スポーツ用手袋１の一部のみで局部的である。
【００４０】
しかしながら、上記の材料からスポーツ用手袋１全体を製作することも可能である。
【符号の説明】
【００４１】
１  スポーツ手袋（ゴールキーパーの手袋）
２  積層保持基材
３  部分材料（発泡ドット）
４  保持基材の側面
５  保持基材の側面
６  アプリケータロール
７  一部分（手の甲の領域）
８  一部分（指の領域）
９  出力ノズル
ｈ  部分材料の高さ
ａ  部分材料の距離
【手続補正２】
【補正対象書類名】特許請求の範囲
【補正対象項目名】全文
【補正方法】変更
【補正の内容】
【特許請求の範囲】
【請求項１】
スポーツ用手袋（１）、特にゴールキーパーの手袋の製作方法であって、
ａ）積層保持基材（２）を設けるステップと、
ｂ）発泡プラスチック材料の複数の個別の部分材料（３）を前記保持基材（２）の両側面（４、５）上に堆積させるステップと、
ｃ）ステップｂ）に従って製作された前記部分材料（３）を有する前記保持基材（２）を使用することによって少なくとも前記スポーツ用手袋（１）の一部分（７、８）を製作するステップと、を含むことを特徴とする、方法。
【請求項２】
前記部分材料（３）を堆積させることは、前記保持基材（２）上でアプリケータロール（３）を回転させることによって行われることを特徴とする、請求項１に記載の方法。
【請求項３】
請求項１に記載の、ステップｂ）の実行後、およびステップｃ）の実行前に、前記保持基材（２）および前記部分材料（３）上にコーティングを施し、該コーティング材料は好ましくは塗料であることを特徴とする、請求項１または２に記載の方法。
【請求項４】
特に、ポリウレタンおよびポリエチレングリコール（エラスタン）の成分によるブロック共重合体および／またはポリエステルの繊維から作られる材料といった、織物材料、マイクロファイバー材料、または皮革材料は、積層保持基材（２）として使用されることを特徴とする、請求項１〜３のうちいずれか一項に記載の方法。
【請求項５】
前記積層保持基材（２）は、その応力ひずみ特性に関して、互いに垂直である２つの方向における異方性挙動を有することを特徴とする、請求項１〜４のうちいずれか一項に記載の方法。
【請求項６】
前記部分材料（３）は、ポリウレタンから成る、またはこの材料を含むことを特徴とする、請求項１〜５のうちいずれか一項に記載の方法。
【請求項７】
さらなる材料は、ポリウレタン、特にゴム材料、特に天然ゴム、またはパラフィンに混合されることを特徴とする、請求項６に記載の方法。
【請求項８】
前記部分材料（３）は、少なくとも一部分において、前記保持基材（２）の表面上に等しく分布した材料ドットであることを特徴とする、請求項１〜７のうちいずれか一項に記載の方法。
【請求項９】
前記部分材料（３）は、球状キャップ、円錐、および／または、特に菱形ベースを有する角錐の形状を有することを特徴とする、請求項１〜８のうちいずれか一項に記載の方法。
【請求項１０】
前記部分材料（３）は、０．５ｍｍ〜５ｍｍの、前記保持基材（２）からの高さ（ｈ）を有することを特徴とする、請求項１〜９のうちいずれか一項に記載の方法。
【請求項１１】
前記部分材料（３）の距離（ａ）は、１．０ｍｍ〜１０ｍｍ、好ましくは１．５ｍｍ〜５ｍｍであることを特徴とする、請求項１〜１０のうちいずれか一項に記載の方法。
【請求項１２】
前記部分材料（３）の前記距離（ａ）、および／または前記保持基材（２）の前記表面からのそれら部分材料の高さ（ｈ）は一定であることを特徴とする、請求項１〜１１のうちいずれか一項に記載の方法。
【請求項１３】
前記部分材料（３）の前記距離（ａ）、および／または前記保持基材（２）の前記表面からのそれら部分材料の高さ（ｈ）は、濃度および／または高さ（ｈ）を大きくした部分材料（３）の領域が前記保持基材（２）上に形成されるように、可変とすることを特徴とする、請求項１〜１１のうちいずれか一項に記載の方法。
【国際調査報告】
2018525537.tif 000006
2018525537.tif 000007
2018525537.tif 000008
2018525537.tif 000009